【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
可搬型の多構成可能なモジュール式太陽光発電プラットフォームであって、
支持フレームと、
前記支持フレームに取り付けられた太陽光モジュールフレームと、
前記太陽光モジュールフレーム上に取り付けられた少なくとも１の太陽光モジュールと、
前記支持フレームの外周部に取り付けられた、シュープレートを有する複数の機械的に調整可能な伸長支持脚部と、
前記伸長支持脚部および前記シュープレートの一方または両方に取り付けられたロッドおよび／またはケーブル構成要素を有する少なくとも１のトグルアンカーと、
移送中に複数の太陽光モジュールフレームを固定するためのロック機構であって、現場での最終組立のために単一のトレーラベッド上に垂直に積み重ねられた移送中の太陽光モジュールフレームを固定するロック機構と
を備えることを特徴とする可搬型の多構成可能なモジュール式太陽光発電プラットフォーム。
【請求項２】
請求項１に記載の可搬型の多構成可能なモジュール式太陽光発電プラットフォームにおいて、
前記太陽光モジュールフレームが、前記支持フレームにヒンジで取り付けられるか、または前記支持フレームに固定され、それにより、前記太陽光モジュールフレームが、選択された角度または固定された角度で配置されるように構成されていることを特徴とする可搬型の多構成可能なモジュール式太陽光発電プラットフォーム。
【請求項３】
請求項２に記載の可搬型の多構成可能なモジュール式太陽光発電プラットフォームにおいて、
前記支持フレームにヒンジで取り付けられ、かつ選択された調節可能な角度で前記太陽光モジュールフレームを保持するように構成された支持アームをさらに備えることを特徴とする可搬型の多構成可能なモジュール式太陽光発電プラットフォーム。
【請求項４】
請求項１に記載の可搬型の多構成可能なモジュール式太陽光発電プラットフォームにおいて、
少なくとも１の太陽光モジュールにヒンジで取り付けられるか又は固定される少なくとも１の折り畳み可能な太陽光モジュール部分をさらに含み、それにより、広げたときにより大きな収集面が提供されることを特徴とする可搬型の多構成可能なモジュール式太陽光発電プラットフォーム。
【請求項５】
請求項１に記載の可搬型の多構成可能なモジュール式太陽光発電プラットフォームにおいて、
前記支持フレームが、互いに間隔を置いて配置された複数の脚部サブアセンブリを含み、前記複数の機械的に調整可能な伸長支持脚部が、各脚部サブアセンブリの前側脚部および後側脚部を含み、各脚部サブアセンブリが、脚部サブアセンブリの前側脚部および後側脚部の上端部に取り付けられた横部材を含み、前記太陽光モジュールフレームが、前記脚部アセンブリに取り付けられかつ前記脚部アセンブリ間に延びる複数のストラットを含むことを特徴とする可搬型の多構成可能なモジュール式太陽光発電プラットフォーム。
【請求項６】
可搬型の多構成可能なモジュール式太陽光発電プラットフォームであって、
互いに間隔を置いて配置された複数の脚部サブアセンブリを含む支持フレームであって、各脚部サブアセンブリが、前側脚部と、後側脚部と、前側脚部および後側脚部の上端部間に延びる横部材とを含む、支持フレームと、
前記脚部アセンブリに取り付けられかつ前記脚部アセンブリ間に延びる複数のストラットを有する太陽光モジュールフレームと、
前記太陽光モジュールフレーム上に設けられた少なくとも１の太陽光モジュールと、
前側脚部および後側脚部の各々の下端部に連結されたシュープレートと、
ロッドおよび／またはケーブル構成要素を有するトグルアンカーであって、前側脚部および後側脚部の各々と、それぞれのシュープレートの一方または両方に取り付けられて、アースアンカー基礎を提供するトグルアンカーと
を備えることを特徴とする可搬型の多構成可能なモジュール式太陽光発電プラットフォーム。
【請求項７】
請求項５または６に記載の可搬型の多構成可能なモジュール式太陽光発電プラットフォームにおいて、
前記前側脚部および後側脚部の一方または両方が、その長さを調節してそれぞれの脚部サブアセンブリの横部材の高さを調節する調節機構を有することを特徴とする可搬型の多構成可能なモジュール式太陽光発電プラットフォーム。
【請求項８】
請求項５または６に記載の可搬型の多構成可能なモジュール式太陽光発電プラットフォームにおいて、
各脚部サブアセンブリの横部材が、ヒンジによって前記前側脚部の上端部に取り付けられ、前記後側脚部が、前記横部材および太陽光パネルの傾斜角度を調整する調整機構を含むことを特徴とする可搬型の多構成可能なモジュール式太陽光発電プラットフォーム。
【請求項９】
請求項１乃至８の何れか一項に記載の可搬型の多構成可能なモジュール式太陽光発電プラットフォームにおいて、
電気接続部分をさらに含み、それにより少なくとも１の他の可搬型のモジュール式太陽光発電プラットフォームが、少なくとも１の太陽光モジュールに電気的に接続されて、複数のモジュール式太陽光発電プラットフォームが一連のものとして互いに繋がれることを特徴とする可搬型の多構成可能なモジュール式太陽光発電プラットフォーム。
【請求項１０】
請求項１に記載の可搬型の多構成可能なモジュール式太陽光発電プラットフォームにおいて、
少なくとも１のアンカーをさらに備え、前記少なくとも１のアンカーが、前記複数の伸長支持脚部および前記シュープレートのうちの少なくとも１つを設置場所の表面下に固定するためのロッドおよび／またはケーブル構成要素を有するトグルアンカーを含むことを特徴とする可搬型の多構成可能なモジュール式太陽光発電プラットフォーム。
【請求項１１】
請求項１０に記載の可搬型の多構成可能なモジュール式太陽光発電プラットフォームにおいて、
各伸長支持脚部が、ユニットをトレーラベッド上に垂直方向に載せて移送するために、前記伸長支持脚部を旋回または回動させるためのヒンジを含むことを特徴とする可搬型の多構成可能なモジュール式太陽光発電プラットフォーム。
【請求項１２】
請求項１１に記載の可搬型の多構成可能なモジュール式太陽光発電プラットフォームにおいて、
ロッドおよび／またはケーブルを有するトグルアンカーをさらに備え、前記トグルアンカーが、前記複数の伸長支持脚部および取り付けられたシュープレートのうちの少なくとも１つを、ロッドおよび／またはケーブルを有するトグルアンカーと、設置場所の表面下とに固定することを特徴とする可搬型の多構成可能なモジュール式太陽光発電プラットフォーム。
【請求項１３】
請求項１２に記載の可搬型の多構成可能なモジュール式太陽光発電プラットフォームにおいて、
地中の定位置に固定されたときに、ロッドおよび／またはケーブルを有するトグルアンカーの荷重引抜き支持力を測定する機構をさらに備えることを特徴とする可搬型の多構成可能なモジュール式太陽光発電プラットフォーム。
【請求項１４】
請求項１３に記載の可搬型の多構成可能なモジュール式太陽光発電プラットフォームにおいて、
前記機構が、ロッドおよび／またはケーブルを有するトグルアンカーのリアルタイムの土壌状態試験として機械的適用および技術的プロセスを完了して、該当する構造担当技術者（ＥＯＲ）と、ＡＨＪの要求に応じた現場固有の構造計算パッケージおよび現地の建築基準法の要件に従って、風荷重と地震荷重の要件を試験するようにさらに構成されていることを特徴とする可搬型の多構成可能なモジュール式太陽光発電プラットフォーム。
【請求項１５】
請求項１３に記載の可搬型の多構成可能なモジュール式太陽光発電プラットフォームにおいて、
前記機構が、ロッドおよび／またはケーブルを有するトグルアンカーに連結され、作動時に、ロッドおよび／またはケーブルを有するトグルアンカーに自動的に荷重を加えて、リアルタイムの土壌条件で荷重リフト（引張）試験を完了するようにさらに構成されていることを特徴とする可搬型の多構成可能なモジュール式太陽光発電プラットフォーム。
【請求項１６】
請求項１５に記載の可搬型の多構成可能なモジュール式太陽光発電プラットフォームにおいて、
前記機構が、作動時に、ロッドおよび／またはケーブルを有するトグルアンカーに荷重を加えて荷重レフト試験を完了させる電動アクチュエータに結合されたコントローラを備えることを特徴とする可搬型の多構成可能なモジュール式太陽光発電プラットフォーム。
【請求項１７】
請求項１５に記載の可搬型の多構成可能なモジュール式太陽光発電プラットフォームにおいて、
前記機構が、前記荷重リフト（引張）試験の結果を遠隔地に通信するための通信インターフェースをさらに備えることを特徴とする可搬型の多構成可能なモジュール式太陽光発電プラットフォーム。
【請求項１８】
請求項１５乃至１７の何れか一項に記載の可搬型の多構成可能なモジュール式太陽光発電プラットフォームにおいて、
前記機構がＧＰＳ装置をさらに含み、それぞれの支持脚部に連結されたロッドおよび／またはケーブルを有するトグルアンカーに対して前記荷重リフト（引張）試験が実行されるときに、前記機構のコントローラが、それぞれの支持脚部について前記ＧＰＳ装置からＧＰＳ座標を取得し、そのＧＰＳ座標および試験結果を保存することを特徴とする可搬型の多構成可能なモジュール式太陽光発電プラットフォーム。
【請求項１９】
請求項１５乃至１８の何れか一項に記載の可搬型の多構成可能なモジュール式太陽光発電プラットフォームにおいて、
前記機構がクロックをさらに含み、前記クロックからのタイムスタンプが各荷重リフト（引張）試験に関連付けられることを特徴とする可搬型の多構成可能なモジュール式太陽光発電プラットフォーム。
【請求項２０】
請求項１３に記載の可搬型の多構成可能なモジュール式太陽光発電プラットフォームにおいて、
前記支持フレームの各支持脚部が、それらに一体的に取り付けられた荷重引抜き支持力を測定する機構を含むことを特徴とする可搬型の多構成可能なモジュール式太陽光発電プラットフォーム。
【請求項２１】
請求項１３に記載の可搬型の多構成可能なモジュール式太陽光発電プラットフォームにおいて、
前記機構がそれぞれの支持脚部に取り付けられたときに荷重引抜き支持力を測定するために、前記機構が前記支持伸張脚部の各々に着脱可能に取り付け可能であることを特徴とする可搬型の多構成可能なモジュール式太陽光発電プラットフォーム。
【請求項２２】
請求項１に記載の可搬型の多構成可能なモジュール式太陽光発電プラットフォームにおいて、
各伸長支持脚部が、前記支持脚部の長さを調整する機構を備えることを特徴とする可搬型の多構成可能なモジュール式太陽光発電プラットフォーム。
【請求項２３】
請求項２２に記載の可搬型の多構成可能なモジュール式太陽光発電プラットフォームにおいて、
前記機構が、ユニットをトレーラベッドに垂直方向に載せて搬送するために前記支持脚部を旋回または回動させるためのヒンジを含むことを特徴とする可搬型の多構成可能なモジュール式太陽光発電プラットフォーム。
【請求項２４】
請求項２２に記載の可搬型の多構成可能なモジュール式太陽光発電プラットフォームにおいて、
前記機構が、前記伸長支持脚部の一部としてまたはその内側に機械的に作動するアクチュエータを備えることを特徴とする可搬型の多構成可能なモジュール式太陽光発電プラットフォーム。
【請求項２５】
請求項２４に記載の可搬型の多構成可能なモジュール式太陽光発電プラットフォームにおいて、
前記伸長支持脚部が、ユニットをトレーラベッドに垂直方向に載せて搬送するために前記支持脚部を旋回または回動させるためのヒンジを含むことを特徴とする可搬型の多構成可能なモジュール式太陽光発電プラットフォーム。
【請求項２６】
請求項２２に記載の可搬型の多構成可能なモジュール式太陽光発電プラットフォームにおいて、
前記機構が、前記支持フレームを上昇または下降させるために前記伸長支持脚部の内部でクランクを回すように構成された機械的に作動するウインチを備えることを特徴とする可搬型の多構成可能なモジュール式太陽光発電プラットフォーム。
【請求項２７】
請求項３に記載の可搬型の多構成可能なモジュール式太陽光発電プラットフォームにおいて、
前記現場での手動操作または遠隔操作の何れかにより前記太陽光モジュールフレームを選択された角度に調整するための動力機構をさらに備えることを特徴とする可搬型の多構成可能なモジュール式太陽光発電プラットフォーム。
【請求項２８】
請求項３に記載の可搬型の多構成可能なモジュール式太陽光発電プラットフォームにおいて、
単軸上で前記複数の太陽光モジュールを追尾するために取り付けられた単軸の追尾要素に対して前記太陽光モジュールフレームを調整するための動力機構をさらに備えることを特徴とする可搬型の多構成可能なモジュール式太陽光発電プラットフォーム。
【請求項２９】
請求項３に記載の可搬型の多構成可能なモジュール式太陽光発電プラットフォームにおいて、
太陽光モジュールが互いに隣り合うの縦方向配置において、１つの単軸上で前記複数の太陽光モジュールを追尾するための単軸の追尾要素に取り付けられた前記太陽光モジュールフレームを調整するための動力機構をさらに備えることを特徴とする可搬型の多構成可能なモジュール式太陽光発電プラットフォーム。
【請求項３０】
請求項３に記載の可搬型の多構成可能なモジュール式太陽光発電プラットフォームにおいて、
太陽光モジュールが互いに隣り合うの縦方向配置において、１つの単軸上で前記複数の太陽光モジュールを追尾するための単軸の追尾要素に取り付けられた前記太陽光モジュールフレームを調整するための動力機構をさらに備え、前記複数の太陽光モジュールが、ある太陽光モジュールが他の太陽光モジュール上に縦方向配置で積み重ねられた太陽光モジュールを有することを特徴とする可搬型の多構成可能なモジュール式太陽光発電プラットフォーム。
【請求項３１】
請求項３に記載の可搬型の多構成可能なモジュール式太陽光発電プラットフォームにおいて、
２つの単軸追尾要素上で前記複数の太陽光モジュールを同時に追尾するための２つの隣り合う（単一）軸追尾要素に取り付けられた前記太陽光モジュールフレームを調整するための動力機構をさらに含むことを特徴とする可搬型の多構成可能なモジュール式太陽光発電プラットフォーム。
【請求項３２】
請求項３に記載の可搬型の多構成可能なモジュール式太陽光発電プラットフォームにおいて、
２つの軸追尾要素上で前記複数の太陽光モジュールを同時に追尾するための２つの隣り合う（単一）軸追尾要素に取り付けられた前記太陽光モジュールフレームを調整するための動力機構をさらに含み、２つの単軸追尾要素が、太陽光モジュールが互いに隣り合うの縦方向配置で、複数の太陽光モジュールを保持することを特徴とする可搬型の多構成可能なモジュール式太陽光発電プラットフォーム。
【請求項３３】
請求項２２乃至３２の何れか一項に記載の可搬型の多構成可能なモジュール式太陽光発電プラットフォームにおいて、
前記動力機構が、機械式、電気式または空気圧式の圧縮空気供給制御支持アセンブリのうちの１つを含み、前記支持アセンブリが、調節された傾斜位置に前記太陽光モジュールフレームを昇降させることができるか、かつ／または作動時に、単軸上で、または２つの隣り合う単軸上で、太陽光モジュールフレームを旋回および回転させることができることを特徴とする可搬型の多構成可能なモジュール式太陽光発電プラットフォーム。
【請求項３４】
請求項１に記載の可搬型の多構成可能なモジュール式太陽光発電プラットフォームにおいて、
前記少なくとも１の太陽光モジュールに接続されたバッテリ、エネルギー貯蔵装置およびインバータ構成要素のうちの少なくとも１つをさらに備えることを特徴とする可搬型の多構成可能なモジュール式太陽光発電プラットフォーム。
【請求項３５】
請求項１乃至３４の何れか一項に記載の可搬型の多構成可能なモジュール式太陽光発電プラットフォームにおいて、
前記伸長支持脚部に取り付けられたシュープレートが、可搬型のモジュール式太陽光発電プラットフォームの重量を前記伸長支持脚部の間で均等に分散させるように構成された接触領域を含み、それにより、植生、土壌状態および他の環境に敏感な領域、特に汚染された土壌状態または表面が覆われた埋立地に影響を与える可能性がある、モジュール式太陽光発電プラットフォームの重量の影響を最小限に抑えることを特徴とする可搬型の多構成可能なモジュール式太陽光発電プラットフォーム。
【請求項３６】
請求項１乃至３５の何れか一項に記載の可搬型の多構成可能なモジュール式太陽光発電プラットフォームにおいて、
ロッドおよび／またはケーブル構成要素を有する少なくとも１つのトグルアンカーが、前記シュープレートに取り外し可能に連結され、かつ新たな場所へのモジュール式太陽光発電プラットフォームの移設を支持するように構成されていることを特徴とする可搬型の多構成可能なモジュール式太陽光発電プラットフォーム。
【請求項３７】
請求項３６に記載の可搬型の多構成可能なモジュール式太陽光発電プラットフォームにおいて、
ロッドおよび／またはケーブル構成要素を有する少なくとも１のトグルアンカーが、モジュール式太陽光発電プラットフォームの移設後に、結果として生じる材料を後に実質的に残さないか、または設置場所での環境への影響を最小限に抑えるように構成されていることを特徴とする可搬型の多構成可能なモジュール式太陽光発電プラットフォーム。
【請求項３８】
請求項１乃至３７の何れか一項に記載の可搬型の多構成可能なモジュール式太陽光発電プラットフォームにおいて、
前記太陽光モジュールの支持フレームが、複数の鋼部品を含み、それら鋼部品が、留め具を使用することなく互いに固定され、それにより組立中の太陽光支持フレームの鋼部品の結合強度、剛性および耐久性を確保することを特徴とする可搬型の多構成可能なモジュール式太陽光発電プラットフォーム。
【請求項３９】
設置場所において１または複数の太陽光パネル用の支持プラットフォームを地面に取り付けるためのシステムであって、
前記支持プラットフォームのフレームに取り付けられた一つの端部と第２の端部とを含む支持脚部と、
前記支持脚部の第２の端部に取り付けられたシュープレートであって、それを貫通する開口部を含むシュープレートと、
アンカーアセンブリであって、
ａ）貫入端部と、前記貫入端部と反対側のソケット端部とを含むアンカー部分と、
ｂ）前記貫入端部と前記ソケット端部との間で前記アンカー部分に回動可能に結合されたトグル部分であって、前記アンカー部分は、前記ソケット部分が前記アンカー部分に隣接して配置される送達方向と、前記トグル部分が前記アンカー部分に対して横向きに配置される展開方向との間で移動可能である、トグル部分と、
ｃ）前記トグル部分に結合された細長い部材であって、前記アンカーが地面に打ち込まれたときに前記細長い部材の露出端部が地面から延びて、前記アンカー部分を前記送達方向から前記展開方向に向ける十分な長さを有し、前記露出端部が前記シュープレートの開口部を介して受け入れ可能である、細長い部材と
を有するアンカーアセンブリと、
前記ソケット端部に受け入れ可能な第１の端部と、前記送達方向で前記アンカーを地面に打ち込むための第２の駆動端部とを含む剛性駆動部材と、
前記細長い部材の露出端部を前記シュープレートに対して固定するとともに、前記露出端部と地面に打ち込まれたアンカー部分との間に所望の引張力を加えるためのロック機構とを備えることを特徴とするシステム。
【請求項４０】
請求項３９に記載のシステムにおいて、
前記細長い部材が、ロッドおよび／またはケーブルのうちの少なくとも一方を備えることを特徴とするシステム。
【請求項４１】
請求項４０に記載のシステムにおいて、
前記ロック機構が、前記ロッドおよび／またはケーブルの露出端部上を前進して前記シュープレートと係合することが可能である留め具を備えることを特徴とするシステム。
【請求項４２】
請求項４１に記載のシステムにおいて、
前記留め具が、前記露出端部上を前記留め具が前進するのを可能にし、かつ前記露出端部からの前記留め具の取り外しを防止するラチェット機構を備えることを特徴とするシステム。
【請求項４３】
請求項３９に記載のシステムにおいて、
前記細長い部材がケーブルを含み、前記ケーブルの前記露出端部がループを含み、前記ロック機構が、前記ループを受け入れるためのピンを前記支持脚部上にさらに含むことを特徴とするシステム。
【請求項４４】
請求項３９に記載のシステムにおいて、
前記細長い部材が剛性ロッドであり、前記ロック機構が、前記剛性ロッドの露出端部上を前進して前記シュープレートと係合することができる留め具を含むことを特徴とするシステム。
【請求項４５】
請求項４４に記載のシステムにおいて、
前記ソケット部分および前記剛性ロッドの第１の端部が、前記ソケット部分内で前記剛性ロッドの第１の端部を取り外し可能に連結するための、協働するねじ山を備えることを特徴とするシステム。
【請求項４６】
請求項３９に記載のシステムにおいて、
前記シュープレートが、前記支持脚部の第２の端部に着脱可能に取り付けられていることを特徴とするシステム。
【請求項４７】
請求項３９に記載のシステムにおいて、
前記支持脚部が、前記支持脚部の長さを調整するために互いに対して移動可能な複数の脚部材を備えることを特徴とするシステム。
【請求項４８】
請求項３９に記載のシステムにおいて、
前記支持脚部が、前記フレームのストラットに隣接して配置される送達方向と、伸長方向との間で前記フレームに対して移動可能であることを特徴とするシステム。
【請求項４９】
請求項３９に記載のシステムにおいて、
前記支持脚部が前記フレームに対して固定されていることを特徴とするシステム。
【請求項５０】
請求項３９に記載のシステムにおいて、
ロッドおよび／またはケーブルを有するトグルアンカーの荷重引抜き支持力を、地中の定位置に固定されたときに測定するための、前記支持脚部に連結された機構をさらに備えることを特徴とするシステム。
【請求項５１】
請求項５０に記載のシステムにおいて、
荷重引抜き支持力を測定するための機構が、前記支持脚部に恒久的に取り付けられていることを特徴とするシステム。
【請求項５２】
請求項５０に記載のシステムにおいて、
前記機構が前記支持脚部に着脱可能に取り付けることができることを特徴とするシステム。
【請求項５３】
請求項５０に記載のシステムにおいて、
前記機構が、作動時に、リアルタイムの土壌条件での荷重レフト試験を完了するために、ロッドおよび／またはケーブルを有するトグルアンカーに自動的に荷重を加えるように構成されていることを特徴とするシステム。
【請求項５４】
請求項５３に記載のシステムにおいて、
前記機構が、作動時に、ロッドおよび／またはケーブルを有するトグルアンカーに荷重を加えて荷重レフト試験を完了する、電動アクチュエータに結合されたコントローラを含むことを特徴とするシステム。
【請求項５５】
請求項５３に記載のシステムにおいて、
前記機構が、前記荷重リフト（引張）試験の結果を遠隔地に通信するための通信インターフェースをさらに備えることを特徴とするシステム。
【請求項５６】
請求項５３に記載のシステムにおいて、
前記機構がデータポートをさらに含み、前記データポートが、前記荷重リフト（引張）試験の結果を、前記データポートに結合された装置に伝えることを特徴とするシステム。
【請求項５７】
請求項５３に記載のシステムにおいて、
前記機構がＧＰＳ装置をさらに含み、前記機構のコントローラが、それぞれの支持脚部に連結されたロッドおよび／またはケーブルを有するトグルアンカーに対して荷重リフト（引張）試験が行われるときに、それぞれの支持脚部について、前記ＧＰＳ装置からＧＰＳ座標を取得し、そのＧＰＳ座標および試験結果を保存することを特徴とするシステム。
【請求項５８】
請求項５３に記載のシステムにおいて、
前記機構がクロックをさらに含み、前記クロックからのタイムスタンプが各荷重リフト（引張）試験に関連付けられることを特徴とするシステム。
【請求項５９】
設置場所において１または複数の太陽光パネル用の支持プラットフォームを地面に取り付けるためのシステムであって、
フレームと、
前記フレームから延びる複数の支持脚部であって、各支持脚部が、
ｉ）貫通する開口部を含む、各支持脚部に取り付けられたシュープレートと、
ｉｉ）アンカーアセンブリであって、
ａ）貫入端部と、前記貫入端部と反対側のソケット端部とを含むアンカー部分と、
ｂ）前記貫入端部と前記ソケット端部との間で前記アンカー部分に回動可能に結合されたトグル部分であって、前記アンカー部分は、前記ソケット部分が前記アンカー部分に隣接して配置される送達方向と、前記トグル部分が前記アンカー部分に対して横向きに配置される展開方向との間で移動可能である、トグル部分と、
ｃ）前記トグル部分に結合された細長い部材であって、前記アンカーが地面に打ち込まれたときに前記細長い部材の露出端部が地面から延びて、前記アンカー部分を前記送達方向から前記展開方向に向ける十分な長さを有し、前記露出端部が前記シュープレートの開口部を介して受け入れ可能である、細長い部材と
を有するアンカーアセンブリと、
ｉｉｉ）前記細長い部材の露出端部を前記シュープレートに対して固定し、それにより前記フレームを地面に固定するためのアースアンカー基礎を提供するためのロック機構と
を有する、複数の支持脚部と、
前記ロック機構を固定する前に前記露出端部に結合することができる可搬型の荷重試験装置であって、地中に設置されたアンカーアセンブリに荷重をかけて、リアルタイムの土壌条件で荷重リフト（引張）試験を完了するための可搬型の荷重試験装置と
を備えることを特徴とするシステム。
【請求項６０】
請求項５９に記載のシステムにおいて、
前記可搬型の荷重試験装置がコントローラおよびメモリを含み、各アンカーアセンブリに対する前記荷重リフト（引張）試験の結果が、各荷重リフト（引張）試験の日時を特定するタイムスタンプ、および各アンカーアセンブリまたは支持脚部のＧＰＳ座標のうちの１または複数とともに、前記メモリ内に保存されることを特徴とするシステム。